(57)【要約】【課題】本発明は、イチゴミルクを楽しみにしている家庭、特に非力な子供や高齢者でも、失敗することなく安心して、イチゴミルクを作ることが可能な、イチゴ用スプーンを提供することをその目的とする。【解決手段】底部１２、側部１４を有する頭部１０と、前記頭部１０に連なる柄部１８からなるスプーンにおいて、底部１２には穴径が４ｍｍ〜８ｍｍのイチゴ片製作用穴が、３個以上形成されていることを特徴とするイチゴ用スプーン。【選択図】図１
2006141923.tif 000002
【特許請求の範囲】
【請求項１】
底部、側部を有する頭部と、前記頭部に連なる柄部からなるスプーンにおいて、底部には穴径が４ｍｍ〜８ｍｍのイチゴ片製作用穴が、３個以上形成されていることを特徴とするイチゴ用スプーン。
【請求項２】
底部が中心部に向かってなだらかなドーム状に盛り上がった形状に形成されていることを特徴とする請求項１記載のイチゴ用スプーン。
【請求項３】
請求項１または請求項２に記載したスプーン形状であり、前記形状に沿って、底部下方に突出する突起部が形成されていることを特徴とするイチゴ用スイチゴ片製作用穴プーン。
【請求項４】
前記底部全面にわたって、凹凸が形成されている請求項１または２、または３記載のイチゴ用スプーン。
【発明の詳細な説明】
【技術分野】
【０００１】  本発明は、イチゴミルク等を誰でも失敗なく作ることが可能なイチゴ用スプーンの改良に関するものである。
【背景技術】
【０００２】  イチゴミルクは昔より、そして現在でもまた、食後に、おやつに多くの家庭で愛されてきた。家族で容器に入れたイチゴにミルクや牛乳をかけ、スプーンで潰しながら食べることは、一家団欒を代表する風景として定着している。
これに用いるスプーンとしては、通常のスプーンおよび、図５（Ａ）、（Ｂ）に示すような、底部１ａに滑り防止機能を有する突起１ｃ形成した、いわゆるイチゴスプーンが知られている。
しかし、このようなスプーンでイチゴを潰して小さくしようとした場合、小さい力ではイチゴが潰れず、また力を出しすぎると逆にスプーンとイチゴが滑って、イチゴを容器の外に飛ばしたり、容器をひっくり返す等することが多々あった。特に、非力な高齢者や幼児が、イチゴミルクを作り、気軽に楽しむのに適した、スプーンの実現が求められていた。【０００３】  この状態を改善しようとする試みとしては、実開平３−８７６があげられる。
この提案はスプーンの片側に刃部を形成してイチゴを小さく切りやすくして食べようという考えのもとに提案されたものである。【０００４】  しかし、上記構成では、イチゴを小さくすることは可能であるが、潰すという概念がないため、潰すことにより、イチゴの甘い汁がミルクや牛乳と混合されることによるイチゴミルクの最も楽しみな作用が無いため、普及していない。【０００５】
【特許文献１】実開平３−８７６号公報
【発明の開示】
【発明が解決しようとする課題】
【０００６】  本発明は、イチゴミルクを楽しみにしている家庭、特に非力な子供や高齢者でも、失敗することなく安心して、イチゴミルクを作ることが可能な、イチゴ用スプーンを提供することをその目的とする。
【課題を解決するための手段】
【０００７】（１）本発明は、イチゴミルク等を作るために用いられるスプーンであり、底部、側部を有する頭部と、前記頭部に連なる柄部からなるスプーンにおいて、底部には穴径が４ｍｍ〜８ｍｍのイチゴ片製作用穴が、３個以上形成されていることを特徴としている。
（２）本発明は、底部が中心部に向かってなだらかなドーム状に盛り上がった形状に形成されていることを特徴としている。
（３）本発明は、（１）と（２）に記載したスプーン形状であり、前記イチゴ片製作用穴形状に沿って、底部の下方に突出する突起部が形成されていることを特徴としている。
（４）本発明は、（１）（２）、または（３）記載のイチゴ用スプーンに底部全面にわたって、凹凸が形成されていることを特徴としている。
【発明の効果】
【０００８】（１）本発明によれば、底部にイチゴ片製作用穴で、穴径が４ｍｍ〜８ｍｍの穴が３個以上形成されている構成となっているため、イチゴミルクのもつイチゴを潰して汁を出し、これとミルクや牛乳等を混合させたジュースと、前記イチゴ片製作用穴をイチゴに押し付けるだけで、誰でも簡単に、イチゴを小さなイチゴ片に、分割させることができるので、非力な幼児や高齢者でも失敗せず、イチゴミルクを、作り楽しむことが可能となる。
（２）本発明によれば、底部が中心部に向かってなだらかなドーム状に盛り上がった形状に形成されており、イチゴを上から抱え込むようにして、押し付けることができるため、イチゴ等を容器から飛ばすことなく、小片とすることができる
（３）本発明によれば、イチゴ片製作用穴形状に沿って、底部の下方に突出する突起部が形成されているので、突出部により、潰すべきイチゴをイチゴスプーンと、動かないように固定できるので、容器から飛び出させることなくイチゴを潰しながら、分割させることができる。
（４）本発明によれば、スプーンに底部全面にわたって、凹凸が形成されているので、必イチゴとスプーンとの間に必要小限の摩擦を得ることができるので、失敗することなくイチゴを小片に加工できる。
【発明を実施するための最良の形態】
【０００９】  本発明にかかわる実施例により、図面を参照して説明するが、本発明は以下の形態にとらわれるものではなく、本発明の趣旨の範囲で変形、付加などが可能である。なお、各図面において、同じ要素には同じ符号を用い、適宜その説明を省略する場合がある。
【実施例１】
【００１０】  以下に本発明のイチゴ用スプーンの好適実施例について、図面を参照しながら説明する。
図１は実施例１のスプーンの平面図、図２は平面図のＡ−Ａ断面図、図３は本発明の実施例２、図４（Ａ）は図２のＨ部の拡大断面図、図４（Ｂ）は、同じくＨ部の別の実施例の拡大断面図である。図５（Ａ）は従来のイチゴスプーンの平面図、（Ｂ）は底面１ａの拡大断面図である。【００１１】  図１、図２は、実施例１のイチゴ用スプーンであり、たて長の頭部１０とそれに連なる柄部１８からなる。頭部１０はほぼ平坦な底部１２と、前記底部１２の端縁から外方に傾斜しながら立ち上がる側部１４から構成されている。前記底部１２には、その径が４ｍｍ〜８ｍｍのイチゴ片製作穴１６が底部の中心からほぼ均等に３個（図１では７個）以上形成されている。これは、穴が一方向に片寄るとバランスが悪く、安定的に底部１２をイチゴに押しつけることができないからである。前記イチゴ片製作穴１６は、加工対象となる、イチゴの上から底部１２を押し付けることによって、穴径と同一のイチゴ片を容易に製作することができる。
底部１２のイチゴ片製作穴１６が形成されていない面は、イチゴを潰すことによって、イチゴのジュースを製作することができる。【００１２】  このようなスプーン形状なため、特別の技量や習熟が必要とせず、だれでもスプーンをイチゴにおしつけるだけで、イチゴミルクを楽しむことができる。
発明者の実験によれば、穴径が４ｍｍ以下では、イチゴ片を作るには抵抗が大きく、８ｍｍ以上では。イチゴ片が大きくなりすぎるのと、イチゴを潰す量が少なく、ジュースを製作するためには物足りなくなるため、４ｍｍ〜８ｍｍが望ましい。
より望ましくは４．５ｍｍ〜６ｍｍである。穴の数も３個未満ではで効率が悪いので、少なくとも３個以上、望ましくは５個〜８個である。又、イチゴ片製作穴１６形状も実施例に示した、円形だけではなく、イチゴ片を製作可能であればよいので、四角、三角、楕円形等の各種穴形状も本発明に含む。その場合の穴寸法は、対向する辺間の距離を穴径として大きさを規定するものとする。【００１３】  このような構成でも十分にその目的は達成されるが、より望ましくは、底部１２に形成された穴の周囲に底部１２の外方に向かって突起部１６を設けるとより確実にイチゴに突起部１６が食い込むため、イチゴを底部１２で押さえた場合、力をいれてもイチゴを容器から誤って飛ばすことはない。尚、突起部１６の形状は、図４の（Ａ）のように、イチゴ片製作穴１６の周辺に複数個設けてもよいし、図４（Ｂ）のように、イチゴ片製作穴１６の周囲に、全周にわたって突起部１６を設ける構成としてもよい。これらの突起部１６は、イチゴ片製作穴１６の周辺にバーリング加工等を施して形成される。底部１２からの突出寸法は０．５ｍｍ〜２ｍｍ程度が望ましい。
【実施例２】
【００１４】  図３は第２の実施例を示しており、第１の実施例と異なるところは、底部１２の形状を底部が中心部に向かってなだらかなドーム状に盛り上がった形状に形成したことである。このため、イチゴを上から抱え込むようにして、押し付けることができるため、イチゴ等を容器から飛ばすことなく、小片とすることができる。より確実にイチゴを固定するために、実施例１に示したように、突起部１６や、従来から用いられてきた、凹凸１ｃを形成してもよい。【００１５】  なお、実施例１、実施例２とも、スプーンの素材については、特に限定はしないが、その操作性や加工性からみて金属性が望ましく、より望ましくは錆の発生がなく美観に優れている、ステンレススチール製である。スプーンの製作は、これらの素材をプレス加工等で製作される。【００１６】  前記実施例の構成とすることにより、イチゴミルクを楽しみにしている家庭、特に非力な子供や高齢者でも、失敗することなく安心して、イチゴミルクを作ることが可能な、イチゴ用スプーンを提供できる。なお、この発明は、上記実施例に限定されるものではなく、要旨を変更しない範囲で種々設計しうること勿論である。
【図面の簡単な説明】
【００１７】
【図１】  実施例１のイチゴ用スプーンを示す平面図である。
【図２】  実施例１の図１のＡ−Ａ部分の断面図である。
【図３】  実施例２のイチゴ用スプーンを示す断面図である。
【図４】  実施例１および実施例２のイチゴ片製作用穴周辺に形成された突起の実施例を示す部分断面図である。
【図５】  （Ａ）従来のイチゴスプーン平面図、（Ｂ）頭部の部分断面図ある。
【符号の説明】
【００１８】  １０    頭部
１２    底部
１４    側部
１６    イチゴ片製作用穴
１６ｈ  突起部
１８    柄部
【図１】
2006141923.tif 000003
【図２】
2006141923.tif 000004
【図３】
2006141923.tif 000005
【図４】
2006141923.tif 000006
【図５】
2006141923.tif 000007